(57)【特許請求の範囲】
【請求項１】
外壁に設けられた窓サッシュ側から内壁に向けて延出する基板部と、該基板部の内側端縁部から垂直に延出し、内壁に形成された窓用開口の周縁に係止されるフランジ部とからなり、複数のもので前記窓用開口の全周を覆う窓枠構成部材と、
隣り合う前記窓枠構成部材の突き合わせ端部を連結する連結部材と、
前記フランジ部の前面に取り付けられる前面カバーとから構成される窓接続枠であって、
前記前面カバーは、前記フランジ部の前面を覆蓋する蓋部と、該蓋部の両端から垂直に起立する第１係止板部及び第２係止板部とから断面視略コ字状を呈してなるもので、前記第２係止板部よりも前記第１係止板部の方が突出するように構成され、これら前記第１係止板部及び前記第２係止板部で前記フランジ部の前面に設けられているカバー取付部を挟み込むようにして前記フランジ部に取り付けられるようになされており、その際に、前記フランジ部の前面における前記基板部側に設けられた当接部に前記第１係止板部を当接させると、前記前面カバーの前面の突出高さが高くなり、前記当接部に前記第２係止板部を当接させると、前記前面カバーの前面の突出高さが低くなることを特徴とする窓接続枠。
【請求項２】
前記第１係止板部及び前記第２係止板部は、先端側に、互いに対向するように係止爪をそれぞれ備えており、これら係止爪を、前記前面カバーの取り付け方向にかかわらず係止可能な係止部が前記カバー取付部の側部に形成されていることを特徴とする請求項１記載の窓接続枠。
【請求項３】
隣り合う前記前面カバーのうちの一方の前面カバーの開口端部は他方の前面カバーで閉塞される一方、前記他方の前面カバーの開口端部は前記連結部材の一端に設けられた閉塞部によって閉塞されることを特徴とする請求項１から請求項２のいずれか一項に記載の窓接続枠。
【発明の詳細な説明】
【技術分野】
【０００１】
本発明は、例えば、浴室の出窓等に用いられ、室内壁と窓サッシュとを接続する窓接続枠に関する。
【背景技術】
【０００２】
従来、浴室の出窓等に用いられる窓サッシュには様々な形状寸法のものがあるため、設置される窓サッシュの形状に沿うように複数の窓枠構成部材を施工現場において組み立てることで造形される窓接続枠により、内壁の窓用開口と、外壁に設けられる窓サッシュとの間を接続するようになっている。このような窓接続枠は、複数の窓枠構成部材とこれらを連結する連結部材とから構成されている。例えば、上枠部材と左右の縦枠部材及び下枠部材からなる４つの窓枠構成部材の突合わせ端部を４個のコーナジョイント部材でそれぞれ連結した後、各窓枠構成部材の前面を長尺状の前面カバーで覆うようにして組み立てられる窓接続枠が開示されている（特許文献１参照）。
【特許文献１】特開２００３−１４８０６１号公報
【発明の開示】
【発明が解決しようとする課題】
【０００３】
上記のように、枠組みされた窓枠構成部材の浴室側の前面に前面カバーを覆設することにより、浴室からの良好な見栄え性を確保している。前面カバーとしては、縦枠部材用及び横枠部材（上枠部材及び下枠部材）用として、別形状に形成されることが多く、例えば、横枠部材に設けられる前面カバーよりも縦枠部材に設けられる前面カバーの方が浴室側に突出するような形状にする場合がある。これにより、横枠部材に設けられる前面カバーの両側の開口端部が左右の縦枠部材に設けられる前面カバーの側面によって確実に閉塞させるとともに、浴室内からの見栄え性が良好となる。
【０００４】
しかしながら、上記構造では、別形状の前面カバーをそれぞれ製造する必要があるため製造コストが増大してしまう。また、施工現場で縦枠部材及び横枠部材に対応する前面カバーを見分けながらそれぞれの前面カバーに寸法加工を施すことになるので、作業性の向上を図る際の妨げとなる虞があった。
【０００５】
本発明は、このような事情を考慮してなされたもので、良好な見栄え性を確保しつつ生産性及び施工性に優れた窓接続枠を提供することである。
【課題を解決するための手段】
【０００６】
そこで、上記目的を達成するために、まず請求項１の発明は、外壁に設けられた窓サッシュ側から内壁に向けて延出する基板部と、該基板部の内側端縁部から垂直に延出し、内壁に形成された窓用開口の周縁に係止されるフランジ部とからなり、複数のもので窓用開口の全周を覆う窓枠構成部材と、隣り合う窓枠構成部材の突き合わせ端部を連結する連結部材と、フランジ部の前面に取り付けられる前面カバーとから構成される窓接続枠であって、前面カバーは、フランジ部に対する取り付け方向を反転させることで、その前面の突出高さが変更可能とされていることを特徴とする。
【０００７】
また、前面カバーは、フランジ部の前面を覆蓋する蓋部と、該蓋部の両端から垂直に起立する第１係止板部及び第２係止板部とから断面視略コ字状を呈してなるもので、第２係止板部よりも第１係止板部の方が突出するように構成され、これら第１係止板部及び第２係止板部でフランジ部の前面に設けられているカバー取付部を挟み込むようにしてフランジ部に取り付けられるようになされており、その際に、フランジ部の前面における基板部側に設けられた当接部に第１係止板部を当接させると、前面カバーの前面の突出高さが高くなり、当接部に第２係止板部を当接させると、前面カバーの前面の突出高さが低くなることを特徴とする。
【０００８】
請求項２記載の発明は、請求項１に記載の発明において、第１係止板部及び第２係止板部は、先端側に、互いに対向するように係止爪をそれぞれ備えており、これら係止爪を、前面カバーの取り付け方向にかかわらず係止可能な係止部がカバー取付部の側部に形成されていることを特徴とする。
【０００９】
請求項３記載の発明は、請求項１から請求項２のいずれか一項に記載の発明において、隣り合う前面カバーのうちの一方の前面カバーの開口端部は他方の前面カバーで閉塞される一方、他方の前面カバーの開口端部は連結部材の一端に設けられた閉塞部によって閉塞されることを特徴とする。
【発明の効果】
【００１０】
請求項１記載の発明によれば、フランジ部に対する前面カバーの取り付け方向を反転させるだけで前面カバーの前面の突出高さが変更可能となっていることから、例えば、上下の窓枠構成部材に設けられる前面カバーよりも左右の窓枠構成部材に設けられる前面カバーの前面の方が突出するように設けることができ、これにより段差を生じさせて良好な見栄え性を確保することができる。また、同種の前面カバーを長さのみ調整することで各窓枠構成部材に共通して用いることができることから、前面の突出高さの異なる前面カバーを用意する必要がなく、生産性の向上とともに製造コストの削減を実現することができる。さらに、現場において窓枠構成部材毎に前面カバーを見分ける必要がなくなるため、現場での組立作業が容易となって施工効率を向上させることができる。
【００１１】
即ち、前面カバーをフランジ部に取り付ける際に、前面カバーの第１係止板部及び第２係止板部のどちらをフランジ部の当接部に当接させるようにするかによって前面カバーの前面の突出高さを容易に変更することができる。さらに、同種の前面カバーで各窓枠構成部材毎に前面カバーの前面の突出高さを調整でき、完成する窓接続枠の見栄え性を考慮して覆設することができる。また、第１係止板部または第２係止板部をフランジ部の当接部に当接させることによって、窓枠構成部材と前面カバーとの隙間をなくすことができるため、水密性を良好に保つことができる。
【００１２】
請求項２記載の発明によれば、第１係止板部及び第２係止板部の先端側に設けられた係止爪をカバー取付部の側部に形成された係止部に係止させることによって、窓枠構成部材に対する前面カバーの取り付け方向に係わらず取り付け状態を確実に維持することができる。
【００１３】
請求項３記載の発明によれば、隣り合う前面カバーのうちの一方の前面カバーの開口端部が他方の前面カバーで閉塞され、他方の前面カバーの開口端部が連結部材の一端に設けられた閉塞部によって閉塞されることから、それぞれの前面カバーの開口端部を確実に閉塞することができるので、良好な水密性を得ることができるとともに見栄え性も確保される。
【発明を実施するための最良の形態】
【００１４】
次に、本発明の一実施形態を図１から図６を参照して以下に説明する。
図１は、本実施形態の窓接続枠を浴室の出窓構成に適用した場合の浴室内部を示すもので、外壁に設けられる窓サッシュ１００と、内壁１０１に形成された窓用開口１０２とを繋ぐように窓接続枠１が設けられている。
【００１５】
窓用開口１０２の形状は、窓サッシュ１００の形状に即して例えば四角形状とされており、窓用開口１０２の全周を覆うようにして窓接続枠１が設置されている。窓接続枠１は、窓用開口１０２の各辺に配置される４つの窓枠構成部材３（図１において２つのみ図示）と、これら窓枠構成部材３の突き合わせ端部同士を連結するコーナー部材６，７（連結部材）と、各窓枠構成部材３の前面を隠すようにしてそれぞれに覆設される複数の浴室側となる前面カバー８とを備えてなるものである。
【００１６】
窓枠構成部材３は、押出成形によって形成されており、窓サッシュ１００と窓用開口１０２とを繋ぐ役割を果たす平板状の基板部１０と、該基板部１０の一端側であってその内側端縁部から外方へと垂直に延出する図２に示すフランジ部１１とを備えており、該フランジ部１１が窓用開口１０２の周縁に係止された状態で、ビス止め或いは接着剤による接着、又はその両方を併用することにより内壁１０１に固定されるようになっている。
【００１７】
基板部１０は、図３示すように、その裏面１０ｂ側に、フランジ部１１の長手方向に沿って延在する突出形状の補強用リブ１２が一体的に形成されており、このような補強用リブ１２がフランジ部１１側の一端から他端にかけて、すなわちフランジ部１１に対して垂直な方向に所定間隔をおいて複数配設されている。これら補強用リブ１２は、裏面１０ｂから起立する基部１３の先端縁から幅方向両側に垂直に張り出す先端部１４を有しており、これによって、両隣の補強用リブ１２と基板部１０との間に嵌合溝１５が形成されることになる。ここで、フランジ部１１から最も遠い端部側に配置される補強用リブ１２の先端部１４は、基部１３の端縁から片側（隣り合う補強用リブ１２側）のみに張り出すように形成されている。
【００１８】
さらに、基板部１０の裏面１０ｂには、上記補強用リブ１２と平行な凹溝１６が、フランジ部１１に対して垂直な方向に多数形成されている。この凹溝１６は、各々の補強用リブ１２の先端面中央にも設けられていて、これら補強用リブ１２の配列方向に沿って一定の間隔（例えば１ｃｍ間隔）で連続形成されている。しかしながら、同図に示すように、凹溝１６は、裏面１０ｂにおけるフランジ部１１側の端部からフランジ部１１に最も近い位置に配設されている補強用リブ１２までの間には設けられていない。つまり、これら凹溝１６は、施工時において、各窓枠構成部材３の基板部１０の長さ、すなわち窓用開口１０２の奥行きに合わせてその寸法を調整する際に、余剰長を切断するための目盛り（目安）の役割を果たすものであって、切断の可能性のある部分にのみ形成されている。また、この凹溝１６にカッターの刃を差し込んでその凹部に沿ってカッターを引くことにより、該凹溝１６がガイドとなって、真っ直ぐ且つ容易に基板部１０を切断することができる。
【００１９】
フランジ部１１は、その前面１１ｂに、後述する前面カバー８を取り付けるための第１カバー取付部２０を備えている。この第１カバー取付部２０は、前面１１ｂから垂直に起立する第１係止リブ２１及び第２係止リブ２２からなるもので、これら第１係止リブ２１及び第２係止リブ２２は、前面１１ｂ（フランジ部１１）の長手方向に延在するとともに互いに所定間隔をおいて平行をなし、第２係止リブ２２のフランジ部１１とは反対の端面２２ｂよりも第１係止リブ２１のフランジ部１１とは反対の端面２１ｂの方が突出するように、互いの突出量を異ならせている。
【００２０】
第１係止リブ２１は、フランジ部１１の端縁部に配置され、対向する第２係止リブ２２とは反対側の側部に外方へと突出する二つの係止凸部２４，２４を有している。これら係止凸部２４，２４は、側断面視略三角形状を呈するもので第１係止リブ２１の先端から基部側に向かって連設されている。一方、第２係止リブ２２は、前面１１ｂにおける基板部１０側の端部から若干内側に配置されており、対向する第１係止リブ２１とは反対側の側部から外方に突出する係止凸部２４を一つ有している。この係止凸部２４は、上記第１係止リブ２１の係止凸部２４と同様の形態をなすもので、第１係止リブ２１の先端側に設けられている。
【００２１】
このように配設された係止凸部２４によって、第１係止リブ２１に一対の係止部２６，２６が形成され、第２係止リブ２２に一ヶ所の係止部２５が形成される。また、上記では、第２係止リブ２２をフランジ部１１の前面１１ｂにおける基板部１０側の端部から若干幅方向内側に配設してあるが、この前面１１ｂにおける基板部１０側の端部には、前面１１ｂよりも基板部１０側に低く形成された当接面２７（当接部）が前面１１ｂと平行に設けられている。
【００２２】
フランジ部１１の裏面側には、半球状の先端を有した突起部２９が突設されている。この突起部２９は、フランジ部１１の基板部１０からの延出方向において、上述した補強用リブ１２の先端部１４の位置と同一位置とされている。これによって、最もフランジ部１１側に位置する補強用リブ１２とフランジ部１１との間にも嵌合溝１５が形成されることになる。
【００２３】
図４及び図５に示すコーナー部材６，７は、窓用開口１０２の各コーナー部分に位置し、各窓枠構成部材３同士の突き合わせ端部を連結するもので、互いに対称的な形状を呈するもので対角同士に一組ずつ配設される。コーナー部材６は、図１に示すように、窓用開口１０２の左下のコーナーに位置して左側用の窓枠構成部材３と下側用の窓枠構成部材３との突合せ端部を連結するよう構成されているとともに、窓用開口１０２の右上のコーナー部に位置して右側用の窓枠構成部材３と上側用の窓枠構成部材３との突き合わせ端部を連結するよう構成されている。一方、コーナー部材７は、窓用開口１０２の右下のコーナーに位置して右側用の窓枠構成部材３と下側用の窓枠構成部材３との突き合わせ端部を連結するよう構成されているとともに、窓用開口１０２の左上のコーナーに位置して左側用の窓枠構成部材３と上側用の窓枠構成部材３との突き合わせ端部を連結するよう構成されている。
【００２４】
このようなコーナー部材６，７は、図４及び図５に示すように、連結部３１と閉塞キャップ３２とからなっており、射出成形により一体成形されている。連結部３１は、窓枠構成部材３の基板部１０に沿って延出する角柱状の軸部３１ｂと、該軸部３１ｂの周方向で隣り合う２つの側部からそれぞれ垂直に起立して互いに直角を成す連結片３４とを備えている。連結片３４は、軸部３１ｂの長手方向に沿って複数並設され、それぞれが上記嵌合溝１５内に挿入されるようになっている。これにより、コーナー部材６，７の窓枠構成部材３への結合状態が向上し、枠組みされた窓接続枠１の構築状態を安定的に維持することができる。
【００２５】
閉塞キャップ３２は、軸部３１ｂの一端側に垂直姿勢で設けられ、平面視において上述した互いに直角をなす連結片３４とは重なる部分がないように、これら連結片３４のそれぞれの起立方向とは相反する方向へと延出する板部３５と、該板部３５の前面３５ｂに設けられている第２カバー取付部３６と、板部３５の側縁部から垂直に起立する閉塞板３７（閉塞部）とから構成され、窓用開口１０２のコーナー周縁に係止されるようになっている。
【００２６】
第２カバー取付部３６は、上記第１係止リブ２１及び第２係止リブ２２と同形状を呈する第１嵌合リブ３８及び第２嵌合リブ３９からなり、板部３５の前面３５ｂから垂直に起立するとともに互いに所定間隔をおいて平行に配置され、第２嵌合リブ３９の端面３９ｂよりも第１嵌合リブ３８の端面３８ｂの方が突出するように互いの突出量を異ならせている。
【００２７】
第１嵌合リブ３８は、板部３５の軸部３１ｂ側とは反対側の側縁部に配置され、対向する第２嵌合リブ３９とは反対側の側部に上記係止凸部２４と同形状の係止凸部２４を二つ有しており、これら係止凸部２４，２４を第１嵌合リブ３８の先端から前面３５ｂ側に向かって連設することによって、各係止凸部２４，２４における前面１１ｂ側に係止部４８，４８を形成する。
【００２８】
一方、第２嵌合リブ３９は、板部３５の前面３５ｂにおける軸部３１ｂ側の側縁部から若干内側に配置されており、対向する第１嵌合リブ３８とは反対側の側部の先端側に係止凸部２４を一つ有している。この係止凸部２４は、第２嵌合リブ３９の先端に設けられており、上記係止部４８とともに前面カバー８の取り付けを可能にする係止部４９を形成する。これら第１嵌合リブ３８及び第２嵌合リブ３９の一端側が長方形状の閉塞板３７によって連結されている。さらに、板部３５の前面３５ｂにおける軸部３１ｂ側の端部には、第２嵌合リブ３９に隣接して前面３５ｂよりも軸部３１ｂ側に低く形成された当接面４０（当接部）が設けられている。
【００２９】
上記のように構成されたコーナー部材６，７の連結片３４を、各窓枠構成部材３の嵌合溝１５内に挿入させながら組み立てることにより、各窓枠構成部材３をそれぞれ連結することができる（図２参照）。このとき、各コーナー部材６，７の第２カバー取付部３６と、左右の窓枠構成部材３の第１カバー取付部２０とが連続する形状となる。つまり、左側用の窓枠構成部材３及び右側用の窓枠構成部材３の第１係止リブ２１の延長上にコーナー部材６，７の第１嵌合リブ３８が延在するとともに、両窓枠構成部材３の第２係止リブ２２の延長上にコーナー部材６，７の第２嵌合リブ３９が延在する。さらに、互いの当接面２７，４０までもが面一となることにより、左右の窓枠構成部材３の第１カバー取付部２０に前面カバー８を取り付けるのと同時に、これら窓枠構成部材３の両端側に存在するコーナー部材６，７の第２カバー取付部３６にも後述の前面カバー８の取り付けを可能にする。
【００３０】
前面カバー８は、図６に示すように、フランジ部１１の前面１１ｂを覆蓋する蓋部４３と、該蓋部４３の幅方向両端縁部から垂直に起立する第１係止板部４４及び第２係止板部４５とから側断面視略コ字状を呈してなるもので、第２係止板部４５よりも第１係止板部４４の方が蓋部４３から突出するように構成されている。これら第１係止板部４４及び第２係止板部４５の先端側には、互いに対向する係止爪４６，４６をそれぞれ備えており、これら第１係止板部４４及び第２係止板部４５でフランジ部１１の第１カバー取付部２０を挟み込むようにして窓枠構成部材３に取り付けられる。その際、前面カバー８の第１係止板部４４及び第２係止板部４５の係止爪４６，４６が、第１係止リブ２１の係止凸部２４及び第２係止リブ２２の先端側の係止凸部２４を乗り越えて、対応する係止部２５，２６へと弾性的に係合することでフランジ部１１へと装着されるようになっている。
【００３１】
同時に、この前面カバー８は、コーナー部材６，７の第２カバー取付部３６にも取り付け可能となっており、第１係止板部４４及び第２係止板部４５でこの第２カバー取付部３６を挟み込むようにして設けられる。その際、前面カバー８の第１係止板部４４及び第２係止板部４５の係止爪４６，４６が、第１嵌合リブ３８の係止凸部２４及び第２嵌合リブ３９の先端側の係止凸部２４を乗り越えて、対応する係止部４８，４９へと弾性的に係合することで、フランジ部１１と同時にコーナー部材６，７へと装着される。
【００３２】
また、この前面カバー８には、蓋部４３の内面側から所定の突出高さで突出する凸部５１が第１係止板部４４側に設けられている。前面カバー８は、フランジ部１１に対する取り付け方向を反転させた状態でも、フランジ部１１の第１カバー取付部２０に取り付けることが可能となっており、前面カバー８をフランジ部１１に取り付けた際に、凸部５１の先端が第１係止リブ２１の端面２１ｂ或いは第２係止リブ２２の端面２２ｂのいずれかに当接することによって、装着時に前面カバー８の蓋部４３をフランジ部１１の前面１１ｂに対して平行となるように保持することができる。
【００３３】
なお、フランジ部１１の係止部２５，２６及びコーナー部材６，７の係止部４８，４９は、前面カバー８のフランジ部１１への取り付け方向に係わらず係止爪４６，４６を係止可能となっており、前面カバー８を反転させてフランジ部１１及びコーナー部材６，７へ取り付けた場合にも良好な嵌合状態が得られる。
【００３４】
次に、前面カバー８の取付例について主に図６を参照して説明する。
まず、図６（ａ）に示されるように、フランジ部１１に前面カバー８を取り付ける際に、前面カバー８の第１係止板部４４の先端をフランジ部１１の当接面２７に当接させるように取り付けると、第１係止板部４４の係止爪４６が第２係止リブ２２の係止部２５に係止されるとともに、第２係止板部４５の係止爪４６が第１係止リブ２１の係止部２６に係止されることになる。同時に、前面カバー８の凸部５１が第１係止リブ２１の端面２１ｂに当接し、前面カバー８の蓋部４３がフランジ部１１に対して平行な姿勢で保持される。またこのとき、前面カバー８の第１係止板部４４の側面４４ｂと基板部１０の１０ｃとが面一状態となり、窓接続枠１内の見栄え性及び残水の排水性を良くしている。
【００３５】
また、上記とは反転して図６（ｂ）に示されるように、前面カバー８の第２係止板部４５の先端をフランジ部１１の当接面２７に当接させるように取り付けると、第２係止板部４５の係止爪４６が第２係止リブ２２の係止部２５に係止されるとともに、第１係止板部４４の係止爪４６が第１係止リブ２１の奥側の係止部２６に係止されることになる。同時に、前面カバー８の凸部５１が第２係止リブ２２の端面２２ｂに当接し、前面カバー８の蓋部４３がフランジ部１１に対して平行な姿勢で保持される。また、このとき、前面カバー８の第２係止板部４５の側面４５ｂと、基板部１０の１０ｃとが面一状態となり、窓接続枠１内の見栄え性及び残水の排水性を良くしている。
【００３６】
ここで、図６（ａ）及び図６（ｂ）からも明らかなように、第１係止板部４４を当接面２７に当接させると、第２係止板部４５を当接面２７に当接させた場合よりも前面カバー８の前面８ｂの突出高さが高くなり、逆に、第２係止板部４５を当接面２７に当接させると、第１係止板部４４を当接面２７に当接させた場合よりも前面カバー８の前面８ｂの突出高さが低くなることがわかる。このように、前面カバー８は、フランジ部１１に対する取り付け方向を反転させるだけでその前面８ｂの突出高さを容易に変更することができるとともに、各窓枠構成部材３に共通して用いることができる利便性の高い構成となっている。
【００３７】
実際の施工では、左側用の窓枠構成部材３及びその両端に位置するコーナー部材６，７と、右側用の窓枠構成部材３及びその両端に位置するコーナー部材６，７とに前面カバー８をそれぞれ取り付ける際には、長さ以外が同じとされた同種の二本の前面カバー８を長さのみ調整するように切断して、図６（ａ）に示したように、各前面カバー８の前面８ｂの高さが高くなるように取り付ける。このとき、左右の窓枠構成部材３の前面側のみならず、これら左側用の窓枠構成部材３及び右側用の窓枠構成部材３の上下にそれぞれ位置するコーナー部材６，７の前面側をもカバーするように各前面カバー８の長さを調整して、これら窓枠構成部材３及びコーナー部材６，７を一体的にすべく前面カバー８を覆設する。このとき、装着された前面カバー８の両端がコーナー部材６，７の閉塞板３７に当接することよって、前面カバー８の両側の開口端部５２が完全に閉塞されることになるため、前面カバー８の突き当たり端部の隙間をなくすことができる。また、この閉塞板３７は、前面カバー８の上下方向の抜け止めの役目も果たすため、前面カバー８の取り付け状態を確実に維持することができる。
【００３８】
一方、上側用の窓枠構成部材３及び下側用の窓枠構成部材３に前面カバー８をそれぞれ取り付ける際には、上記した縦に配設されるものと同種の前面カバー８をさらに二本準備して、これら窓枠構成部材３のフランジ部１１の長手方向長さに合わせて長さを調整し、図６（ｂ）に示したように、前面８ｂの高さが低くなるように取り付ける。左右の窓枠構成部材３の前面８ｂの突出高さよりも低くなるようにして上側用の窓枠構成部材３及び下側用の窓枠構成部材３に取り付けられた前面カバー８の両端部は、左右の窓枠構成部材３及びコーナー部材６，７に取り付けられた前面カバー８の側部に当接する。これによって前面カバー８の両側の開口端部５２が完全に閉塞されることになるため、前面カバー８の突き当たり端部の隙間をなくすことができる。
【００３９】
このように、上側用の窓枠構成部材３及び下側用の窓枠構成部材３に覆設された前面カバー８の前面８ｂよりも左右の窓枠構成部材３に覆設された前面カバー８の前面８ｂを浴室側に突出させるように取り付けることで、上側用の窓枠構成部材３及び下側用の窓枠構成部材３の前面カバー８の開口端部５２が左右の窓枠構成部材３の側部によって確実に閉塞されて水密性が確保されるとともに、浴室内からの見栄え性も良好となる。
【００４０】
以上に述べた構成により、フランジ部１１に対する前面カバー８の取り付け方向を反転して嵌合させるだけで前面カバー８の前面８ｂの突出高さが変更可能となっていることから、上下の窓枠構成部材３に設けられる前面カバー８よりも左右の窓枠構成部材３に設けられる前面カバー８の前面８ｂの方が突出するように設けることで段差が生じ、見栄え良く仕上げることができる。また、各窓枠構成部材３に共通して用いることができるので、左右の窓枠構成部材３と、上側用の窓枠構成部材３及び下側用の窓枠構成部材３とで、それぞれ前面８ｂの突出高さの異なる前面カバー８を用意する必要がなく、したがって生産性が向上するとともに製造コストの削減を実現することができる。さらに、現場において各窓枠構成部材３ごとに前面カバー８を見分ける必要がなくなるので、現場での組立作業が容易となって施工効率が向上する。
【００４１】
さらに、前面カバー８をフランジ部１１に取り付ける際に、前面カバー８の第１係止板部４４及び第２係止板部４５のどちらをフランジ部１１の当接面２７に当接させるようにするかによって前面カバー８の前面８ｂの突出高さを容易に変更することができる。さらに、同種の前面カバー８で各窓枠構成部材３ごとに前面カバー８の前面８ｂの突出高さを調整できるため、上述したように完成する窓接続枠１の見栄え性を考慮して覆設することができる。また、第１係止板部４４或いは第２係止板部４５をフランジ部１１の当接面２７に当接させることによって、各窓枠構成部材３と前面カバー８との隙間をなくすことができるため、水密性を良好に保つことができる。
【００４２】
また、前面カバー８の第１係止板部４４及び第２係止板部４５の先端側に設けられた係止爪４６，４６をフランジ部１１の係止部２５，２６及びコーナー部材６，７の係止部４８，４９に係止させることによって、左右の窓枠構成部材３及びコーナー部材６，７、上側用の窓枠構成部材３及び下側用の窓枠構成部材３に対する前面カバー８の取り付け方向に係わらず、前面カバー８の取り付け状態を確実に維持することができる。
【００４３】
そして、上下の窓枠構成部材３に覆設された前面カバー８の開口端部５２が左右の窓枠構成部材３に覆設された前面カバー８で閉塞され、これら左右の窓枠構成部材３の前面カバー８の開口端部５２がコーナー部材６，７の一端に設けられた閉塞板３７によって閉塞されることから、それぞれの前面カバー８の開口端部５２を確実に閉塞することができるので、良好な水密性を得ることができるとともに見栄え性も確保することができる。
【００４４】
なお、浴室内から見て、窓用開口１０２の左右の側辺に沿って縦姿勢で設置される左側用の窓枠構成部材３及び右側用の窓枠構成部材３の双方における基板部１０の下端部（施工時において下側用の窓枠構成部材３と連結される端部）に、内壁１０１に対して垂直ではなくフランジ部１１から離れるほど窓枠構成部材３の上端部との間隔を若干狭くするように、所定角度で漸次傾斜する切欠き９（図２参照）を、フランジ部１１側の一端から他端にかけて形成しておいてもよい。この場合、窓用開口１０２の下側のコーナー部に位置するコーナー部材６，７を、上記した窓枠構成部材３の切欠き９に対応する形状に形成しておく。具体的には、図７及び図８に示すように、軸部３１の上面３３を、閉塞キャップ３２側の一端から他端にかけて切欠き９の傾斜に沿って所定角度で閉塞キャップ３２から離れるほど高くなるように傾斜させて軸部３１を形成し、組み立てたときに軸部３１の上面３３が切欠き９にぴったりと沿うようにする。また、下側用の窓枠構成部材３の嵌合溝１５に挿入される複数の連結片３４も上面３３の傾斜に平行に配置しておく。このように構成することにより、左側用の窓枠構成部材３及び右側用の窓枠構成部材３に、上述した構成のコーナー部材６，７を介して窓用開口１０２の下辺に沿って横姿勢で設置される下側用の窓枠構成部材３を連結させるだけで、表面の余分な水の排水を促して残水を防止するための水勾配が形成されることになる。
【００４５】
さらに、窓接続枠１の水密性を確実に確保するために、各構成部材の境界部分に、例えば、防水性のゴムなどで形成されたパッキンを取り付け、シャワー等の水が内部に漏出しないようにする。また、上記実施形態においては、左右の窓枠構成部材３に設けられる前面カバー８の第２係止板部４５の先端部と内壁１０１との間に若干隙間が空くことになるが、この部分を含め、窓接続枠１における内壁１０１との接合部の周囲に、上記したパッキン等のシール材にてコーキングを施して完全な防水性を確保する。
これにより、各窓枠構成部材３及びコーナー部材６，７の連結部分、さらに、窓接続枠１と内壁１０１との接合部分を確実に封止することにより窓接続枠１を精度よく取り付けることができる。
【００４６】
また、上記においては、浴室の出窓構成に用いられる窓接続枠１として述べたが、これに限らず、様々な場所等で使用可能なものである。
【図面の簡単な説明】
【００４７】
【図１】本発明における一実施形態の窓接続枠を浴室の出窓構成に適用した場合の浴室内部を示す図である。
【図２】本発明における一実施形態の窓接続枠の要部を示す斜視図である。
【図３】本発明における一実施形態の窓枠構成部材を示す側断面図である。
【図４】本発明における一実施形態の左下右上兼用のコーナー部材を示す斜視図である。
【図５】本発明における一実施形態の右下左上兼用のコーナー部材を示す斜視図である。
【図６】本発明における一実施形態の前面カバーを取り付けた状態を示す側断面図であって、（ａ）は前面カバーの前面が高くなるように左右の窓枠構成部材に取り付けた状態を示し、（ｂ）は前面カバーの前面が低くなるように上下の窓枠構成部材に取り付けた状態を示している。
【図７】本発明における左下右上兼用のコーナー部材の他の実施例を示す側面図である。
【図８】本発明における右下左上兼用のコーナー部材の他の実施例を示す側面図である。
【符号の説明】
【００４８】
１  窓接続枠
１０  基板部
１１  フランジ部
３  窓枠構成部材
６，７  コーナー部材（連結部材）
８  前面カバー
８ｂ  前面
２５，２６，４８，４９  係止部
４３  蓋部
４４  第１係止板部
４５  第２係止板部
２０  第１カバー取付部
３６  第２カバー取付部
２７，４０  当接面（当接部）
４６  係止爪
３７  閉塞板（閉塞部）
５２  開口端部
１００  窓サッシュ
１０１  内壁
１０２  窓用開口
【図１】
0004832867.tif 000002
【図２】
0004832867.tif 000003
【図３】
0004832867.tif 000004
【図４】
0004832867.tif 000005
【図５】
0004832867.tif 000006
【図６】
0004832867.tif 000007
【図７】
0004832867.tif 000008
【図８】
0004832867.tif 000009